(57)【特許請求の範囲】
【請求項１】
装置本体（Ｓ）が、二つに折り畳まれた開閉可能で、且つ、任意の開閉角度で一時固定可能であって、運搬用部材を装着したケース（１）と、該ケース上部の被装体（２）からなり、該ケース（１）の底部には、保温装置（５）を装着し、該保温装置（５）の上面には、ビニール等の防水部材（２２）で被装したことを特徴とする簡易型加圧式保温装置。
【請求項２】
ケース（１）の保温装置（５）が、上部にニクロム線等の発熱体（３）を設け、下部には、断熱材（４）を敷設し、前記発熱体（３）の先端部には、給電用コード（１６）と、温度コントローラ（１７）を設けたことを特徴とする請求項１記載の簡易型加圧式保温装置。
【請求項３】
保温装置（５）が、人間のほぼ全身のもの、頭部、顔部、肩部、腕足部をそれぞれ保温するものから選ばれたものであることを特徴とする請求項１又は２記載の簡易型加圧式保温装置。
【発明の詳細な説明】
【０００１】
【発明の属する技術分野】
この発明は、装置本体が簡単に折り畳み可能で、軽量で誰でも簡単に持ち運びが出来、且つ、何処でも使用可能な簡易型加圧式保温装置に関するものである。
【０００２】
【従来の技術】
従来、入浴する場合は、固定された特定の設備が必要で、入浴者はその特定の場所迄行くか、介護者に連れて行って貰うしか方法がなかった。
【０００３】
又、身体を温めるには、湯槽にお湯を張り、身体を沈めるか、サウナや蒸し風呂等で身体を温めるしか方法はなかった。
【０００４】
【発明が解決しようとする課題】
そこで、この発明は、誰でも簡単に持ち運びが出来て、且つ、何処でも使用出来て、お風呂の代用品にもなる簡易型加圧式保温装置を開発提供することにある。
【０００５】
【課題を解決するための手段】
上記の問題を解決する為に、加圧式保温装置をケース型に形成して折り畳める様にし、且つ、持ち運びを容易にする為、ケース上面中央部に取手（７）を取り付け、下面四角にはキャスター（６）を取り付けることによって、コンパクトで誰でも簡単に持ち運びが出来る様にした簡易型加圧式保温装置。
【０００６】
【発明の実施の形態】
次に、この発明の一実施例を図１〜図４に基いて説明すると、ケース型に形成して折り畳み可能にし、何処にでも移動可能な装置本体（Ｓ）と、装置本体の上に人間（ｍ）が横になり、該人間の身体上に掛けて使用する被装体（２）から構成される簡易型加圧式保温装置であり、これら装置には、人間（ｍ）の身体の各部に装着して使用する各部保温装置の頭部用装置（８）、顔部用装置（９）、肩部用装置（１０）、腰腹部用装置（１１）、腕足部用装置（１２）が付加されるものである。
【０００７】
まず、１つ目の簡易型加圧式保温装置を有する装置本体（Ｓ）は、縦（Ｙ）横（Ｘ）幅（Ｔ）が所定寸法を有し、左右対称に開閉可能で、且つ、任意の開閉角度で固定可能で、且つ、持ち運び移動可能な機能を有するプラスチック・金属等の可塑性物質で形成された矩形のケース（１）を設け、該両矩形のケースの底部全面に、所定の深さ寸法（α）を有する保温装置（５）を装着し、該保温装置（５）の中には、上部にニクロム線等の発熱帯（３）と下部には、絶縁体（４）を全面に埋設し、全体をビニール等の防水部材（２２）を被装し、且つ、発熱帯（３）の先端部には、給電用のコード（１６）と、温度コントローラ（１７）を装着したものである。
【０００８】
又、２つ目の被装体（２）は、縦（Ｙ’）横（Ｘ’）幅（Ｔ’）が所定寸法を有した保温装置（５）を設け、該保温装置（５）の中には、下部にニクロム線等の発熱帯（３）と上部には、絶縁体（４）を全面に埋設し、全体をビニール等の防水部材（２２）を被装し、且つ、発熱帯（３）の先端部には、給電用のコード（１６）と、温度コントローラ（１７）を装着し、身体の上部に掛けて使用するものである。
【０００９】
さらに、上記２つの構成部品以外の各部保温装置は、人間の身体の大きさに合わせた、所定の形状、大きさを有する各部の保温装置で、装置本体は保温装置（５）で形成され、該保温装置（５）の中には、下部にニクロム線等の発熱帯（３）と上部には、絶縁体（４）を全面に埋設し、全体をビニール等の防水部材（２２）を被装し、且つ、発熱帯（３）の先端部には、給電用のコード（１６）と、温度コントローラ（１７）を装着した、頭部用保温装置（８）、顔部用保温装置（９）、肩部用保温装置（１０）、腕足部用保温装置（１１）、腰腹部用保温装置（１２）を使用して、身体の各部分を温める為に使用するものである。
【００１０】
次に、各装置の使用方法を説明すると、まず、簡易型加圧式保温装置本体（Ｓ）と被装体（２）は、簡易型のお風呂として使用する時には、最初にケース（１）を全開し横向きに寝かせ、予め、余熱を加えて装置本体（Ｓ）と被装体（２）を暖めた状態にして、その上にお湯で濡らしたタオル等の布材を敷いて、その上に人間（ｍ）が横に成り、更に、その上からお湯で濡らしたタオル等の布材を被せ、その上に被装体（２）と加圧用掛け部材（１５）を掛けて使用することにより、砂風呂等の様に蒸し風呂状態を保つことにより身体全体を暖める。
【００１１】
又、この装置は横にして寝たままの状態で使用するだけでなく、装置本体に角度調整装置を設けることで、任意の角度（β）に固定する事が出来、身体を保温しながら、テレビを見たり本や雑誌を見たり、手芸等をする事も出来る。
【００１２】
又、この装置は身体全体を温める他、身体の各部分も温めることが出来る様に、頭部用装置（８）、顔部用装置（９）、肩部用装置（１０）、腕足部用装置（１１）、腰腹部用装置（１２）の５種類の各部保温装置を設けている。
【００１３】
そして、この発明の各部装置には、使用者の体調に合わせて、自由に温度調節が出来る様、温度コントローラー（１７）を配設している。
【００１４】
又、同時に複数の装置を使用する場合は、加熱等の危険性が有る為、過熱防止装置等の安全装置が付いた集中コントロールシステムを設ける。
【００１５】
次に、各部保温装置の使用方法について説明すると、まず、頭部用装置（８）を使用する時は、これまで同様、お湯で濡らしたタオル等の布材で頭を包み込み、その上から袋状に成った頭部用装置（８）で被い、髪を持ち上げる感じで全体を包み込み、ベルクロ（登録商標）・ファスナーバンド（１９）で固定してから、温度設定をし、電源を入れる。
【００１６】
次に、顔部用装置（９）を使用する時は、目、口、鼻の部分を切り抜いたタオル等の布材地をお湯で濡らしたものを顔に当て、その上から顔部用装置（９）を顔に掛け、ズレ落ちないようにベルクロ（登録商標）・ファスナーバンド（２０）で固定してから、温度設定をし、電源を入れる。
【００１７】
次に、肩部用装置（１０）を使用する時は、お湯で濡らしたタオル等の布材を肩に当て、その上から肩部用装置（１０）を掛け、ベルクロ（登録商標）・ファスナーバンド（２１）で固定してから、温度設定をし、電源を入れる。
【００１８】
又、腕足部用装置（１１）、腰腹部用装置（１２）も同様、お湯で濡らしたタオル等の布材を身体の各部へ当てて、その上から各装置を巻き付けて、ベルクロ・ファスナーバンド（２１）で固定してから、温度設定をし、電源を入れる。
【００１９】
【発明の効果】
この発明の簡易型加圧式保温装置本体（Ｓ）は、折り畳み式で、且つ、取手（７）とキャスター（６）が設けてある為、誰でも運搬が楽に出来て、何処でも使用出来る。
【００２０】
従って、寝たきりの人や半身不随の人、怪我人や病人、お年寄りや風呂の無い人等を介護する人の強力な手助けとなる。
【００２１】
又、お風呂の様に、お湯を多量に使用する必要が無い為、周りを濡らす心配が無く、滑って転んだりする心配もない。
【００２２】
又、この発明の簡易型加圧式保温装置（Ｓ）は、被装体（２）の上に乗せる加圧用掛け部材（１５）を使用する人の体調に合わせて自由に調整が出来る為、身体に優しく、体力の消耗が少なくて、砂蒸し風呂と同様の感触効果が得られる。
【００２３】
更に、身体の各部に当てて使用する頭部用装置（８）は、頭皮の毛穴等が自身の頭油、整髪料等で塞がれていた部分を蒸し温める事により、汗腺を広げ、より発汗作用を活発にし、毛穴が拡大して毛根等が活性化され、頭髪が元気になり、育毛、発毛等の効果がある。
【００２４】
又、顔部用装置（９）を使用して蒸し温める事により、汗腺を広げ、毛穴や皺に化粧が残り、保湿と発汗により塞がれていた毛穴が開き、完全に除去され奇麗な素肌となる。
【００２５】
又、肩部用装置（１０）、腕足部用装置（１１）、腰腹部用装置（１２）の場合も同様、蒸し温める事により、血行促進、血液循環、発汗性等が良くなり、肩こりや筋肉痛の解消や、体脂肪の排出につながり、ダイエット効果や引き締め効果がある。
【００２６】
又、腰腹部用装置（１２）の場合は、お腹に当てて使用すると、胃腸の働きが活発化し、胃腸や便秘等の解消にも効果がある。
【００２７】
【図面の簡単な説明】
【図１】  この発明の一実施例を示し、ケースを折り畳んだ時の（Ａ）は平面図、（Ｂ）は底面図である。
【図２】  この発明の一実施例を示し、ケースを折り畳んだ時の（Ａ）は右側面図、（Ｂ）は図１中のａ−ａ断面図である。
【図３】  この発明の一実施例を示し、ケース本体を全開した時の（Ａ）は平面図、（Ｂ）は底面図、（Ｃ）は（Ａ）のａ−ａ断面図である。
【図４】  この発明の一実施例を示し、被装体の（Ａ）は平面図、（Ｂ）は底面図である。
【図５】  この発明の使用状態図を示し、（Ａ）は側面図、（Ｂ）は（Ａ）のａ−ａ断面図である。
【図６】  この発明の使用状態図を示し、各部の保温装置の平面図である。
【図７】  この発明の使用状態図を示し、頭部用保温装置の（Ａ）は側面図、（Ｂ）は斜視図である。
【図８】  この発明の使用状態図を示し、顔部用保温装置の（Ａ）は平面図、（Ｂ）は側面図である。
【図９】  この発明の使用状態図を示し、肩部用保温装置の（Ａ）は平面図、（Ｂ）は側面図、（Ｃ）は展開図である。
【図１０】  この発明の一実施例を示し、（Ａ）は腰腹部用保温装置の平面図、（Ｂ）は腕足部用保温装置の平面図である。
【図１１】  この発明の使用状態図を示し、（Ａ）は本装置を使用しながら、テレビを見ている側面図で、（Ｂ）は本装置を使用しながら本を見ている側面図である。
【符号の説明】
１  ケース
Ｓ  簡易型加圧式保温装置本体
２  被装体
３  ニクロム線等の発熱体
４  断熱材
５  保温材
６  ケース用キャスター
７  ケース用取手
８  頭部用保温装置
９  顔部用保温装置
１０  肩部用保温装置
１１  腕足部用保温装置
１２  腰腹部用保温装置
１３  切り欠き部
１４  枕
１５  加圧用掛け部材
１６  給電用コード
１７  温度コントローラー
１８  ビニール・ナイロンカバー
１９  ベルクロ（登録商標）・ファスナーバンド
２０  ベルクロ（登録商標）・ファスナーバンド
２１  ベルクロ（登録商標）・ファスナーバンド
２２  防水部材
Ｓ  簡易型加圧式保温装置本体
Ｘ  ケース折り畳み時の横寸法
Ｙ  ケース折り畳み時の縦寸法
Ｔ  ケース折り畳み時の厚さ寸法
Ｘ’  被装体の横寸法
Ｙ’  被装体の縦寸法
Ｔ’  被装体の厚さ寸法
α  保温装置の厚さ寸法
ｍ  人間
ｔ  テレビ
ｂ  本
β  簡易型加圧式保温装置のケース折り畳み角度
【図１】
0003713535.tif 000002
【図２】
0003713535.tif 000003
【図３】
0003713535.tif 000004
【図４】
0003713535.tif 000005
【図５】
0003713535.tif 000006
【図６】
0003713535.tif 000007
【図７】
0003713535.tif 000008
【図８】
0003713535.tif 000009
【図９】
0003713535.tif 000010
【図１０】
0003713535.tif 000011
【図１１】
0003713535.tif 000012